(57)【特許請求の範囲】
【請求項１】
リールの脚部が載置される脚載置面を有する筒状のシート本体と、該シート本体に移動不能に設けられた固定フード部と、該固定フード部に対向して設けられ、固定フード部と共にリールの脚部を狭持するための可動フード部を有する可動フード体と、可動フード体を固定フード部側に押してその位置に保持するための手段とを備えた筒状リールシートであって、
可動フード体はリールの脚部裏面を支持可能な脚支持面を有し、シート本体の脚載置面は可動フード部の近傍まで形成され、可動フード部の近傍に位置する脚載置面の軸線方向の端部と可動フード体の脚支持面とは、少なくともリールの脚部裏面が当接する箇所において互いに面一になっており、可動フード体の脚支持面は可動フード部の先端部よりも奥側に設けられ、脚載置面の軸線方向の端部は、可動フード部の先端部よりも奥側に入り込むことができるように構成されていることを特徴とする筒状リールシート。
【請求項２】
シート本体は大径部と小径部とを備え、大径部の周方向のうち脚載置面が形成された箇所に小径部側に突出する突出部が形成され、該突出部に脚載置面の軸線方向の端部が位置すると共に突出部と小径部との間には段差部が設けられ、突出部が可動フード体の内側に入り込むことにより、脚載置面の軸線方向の端部が可動フード部の先端部よりも奥側に位置する請求項１記載の筒状リールシート。
【請求項３】
脚載置面の軸線方向の端部と可動フード体の脚支持面は、幅方向の全体に亘って面一である請求項１又は２記載の筒状リールシート。
【請求項４】
可動フード体は、リールの脚部の脚先部が差し込み可能な袋部を構成すべく、可動フード部の内面を幅方向に連結する底部を備え、該底部の外面が脚支持面となっている請求項１乃至３の何れかに記載の筒状リールシート。
【請求項５】
請求項１乃至４の何れかに記載の筒状リールシートを備えていることを特徴とする釣竿。
【発明の詳細な説明】
【技術分野】
【０００１】
本発明は、釣竿にリールを固定するための筒状リールシートと、該筒状リールシートを備えた釣竿に関する。
【背景技術】
【０００２】
従来、リールの脚部を釣竿に取り付けるために、釣竿の竿本体の外周面に装着される筒状リールシートが知られている。該筒状リールシートは、固定フード部と可動フード部とでリールの脚部を軸線方向に狭持して固定する。固定フード部は移動不能に構成される一方、可動フード部は軸線方向に移動可能に構成されている。例えば、下記特許文献１所載の筒状リールシートでは、シート本体に筒状の可動フード体を軸線方向に移動可能に装着し、その可動フード体の周方向の所定箇所を径方向外側に向けて膨出形成して可動フード部を構成している。
【０００３】
しかしながら、膨出部から可動フード部を構成したものでは、可動フード部を固定フード部に向けて接近させてリールの脚部を狭持していくと、可動フード部がリールの脚部表面に徐々に乗り上げていくことになる。可動フード体を移動させるナットを強く締め込み過ぎると、可動フード部が弾性変形してリールの脚部表面に大きく乗り上がり、リールを取り外す際に可動フード部とリールの脚部表面との密着状態を解除しにくい。また、過度に締め込むと可動フード体やナットが損傷することもある。その一方、ナットを締め込み過ぎないようにすると締め付け力が不足して、釣りの途中にリールががたつくことにもなる。このように、膨出部から可動フード部を構成したものでは、リールの締め付け力、固定力の調節が難しいという問題がある。
【０００４】
そこで、可動フード部の内側に底部を設けて可動フード部と底部とから袋部を構成し、該袋部にリールの脚部の脚先部を差し込むことができるようにしたものもある（下記特許文献２、３）。このように可動フード体に袋部を形成すると、リールの脚部表面を可動フード部で押さえると共に底部によってリールの脚部裏面を支持することができる。即ち、リールの脚部を表裏両面から挟み込んでいくので、ナットを強く締め込んでいっても可動フード部がリールの脚部表面に乗り上がり過ぎるということがなく、リールの脚部をしっかりと固定することができる。
【０００５】
しかしながら、下記特許文献３の構成では、リールの脚部を載置する脚載置面が固定フード部の内側のみに設けられているので、袋部にリールの脚部の脚先部を差し込む際に底部の先端部がリールの脚部の脚先部に当たりやすい。リールの脚部の脚先部をスムーズに袋部に差し込むようにするには、下記特許文献２のように底部の先端部に傾斜面を設けるなどの工夫が必要になる。
【先行技術文献】
【特許文献】
【０００６】
【特許文献１】実開昭５７−１８７０６４号公報
【特許文献２】実公平３−１３１８６号公報
【特許文献３】特開２０１０−１１７８９号公報
【発明の概要】
【発明が解決しようとする課題】
【０００７】
それゆえに本発明は上記従来の問題点に鑑みてなされ、リールの脚部を確実に固定することができると共に、リールの脚部の固定操作をスムーズに行うことができる筒状リールシートと釣竿を提供することを課題とする。
【課題を解決するための手段】
【０００８】
本発明は上記課題を解決すべくなされたものであって、本発明に係る筒状リールシートは、リールの脚部が載置される脚載置面を有する筒状のシート本体と、該シート本体に移動不能に設けられた固定フード部と、該固定フード部に対向して設けられ、固定フード部と共にリールの脚部を狭持するための可動フード部を有する可動フード体と、可動フード体を固定フード部側に押してその位置に保持するための手段とを備えた筒状リールシートであって、可動フード体はリールの脚部裏面を支持可能な脚支持面を有し、シート本体の脚載置面は可動フード部の近傍まで形成され、可動フード部の近傍に位置する脚載置面の軸線方向の端部と可動フード体の脚支持面とは、少なくともリールの脚部裏面が当接する箇所において互いに面一になっており、可動フード体の脚支持面は可動フード部の先端部よりも奥側に設けられ、脚載置面の軸線方向の端部は、可動フード部の先端部よりも奥側に入り込むことができるように構成されていることを特徴とする。尚、面一とは、竿中心、即ち筒状リールシートの軸線からの径方向の距離が略同じであることを意味する。
【０００９】
該構成の筒状リールシートにあっては、可動フード体がリールの脚部裏面を支持可能な脚支持面を有しているので、リールの脚部を可動フード部と脚支持面とによって表裏両面から挟み込むことができる。従って、可動フード体を固定フード部側に強く押していっても可動フード部がリールの脚部表面に乗り上がり過ぎるということがない。また、シート本体の脚載置面が可動フード部の近傍まで形成されていて、その脚載置面の軸線方向の端部と可動フード体の脚支持面が、少なくともリールの脚部裏面が当接する箇所において互いに面一になっているので、可動フード体の脚支持面がスムーズにリールの脚部の裏側（内側）に入り込んで支持する。即ち、脚載置面の軸線方向の端部に対して脚支持面が一段高くなっているのではなく面一であるので、スムーズに可動フード体を接近させてリールの脚部を固定フード部と共に固定することができる。また、脚載置面の軸線方向の端部に対して脚支持面が一段低くなっているのではなく面一であるので、リールの脚部裏面を脚支持面で確実に支持することができる。
【００１０】
また更に、シート本体の脚載置面が可動フード部の近傍まで形成されていて、その脚載置面の軸線方向の端部と可動フード体の脚支持面が、少なくともリールの脚部裏面が当接する箇所において互いに面一になっているので、釣竿と共にリールの脚部を強く把持したときにおけるリールの脚部の撓みを抑制することができる。即ち、上記特許文献３のようにシート本体からリールの脚部裏面の軸線方向中央部が広い範囲に亘って浮き上がっていると、リールの脚部を竿本体と共に把持した場合に、リールの脚部の特に軸線方向中央付近が竿中心に向けて撓みやすくなる。仮に撓んだとしてもリールはしっかりと固定されているため、支障なく釣りを行うことができる。しかしながら、釣竿を把持した時の手から伝わる微妙な感覚を特に重視する一部の釣り人の中には、リールの脚部が撓むことを極力避けたいという人もいる。また、近年ではリールの軽量化に伴ってリールの脚部を樹脂やマグネシウムから構成することも多くなっていることから、リールの脚部が撓みやすくなってきているという状況もある。これに対して上記構成のように、シート本体の脚載置面が可動フード部の近傍まで形成されていて、その脚載置面の軸線方向の端部と可動フード体の脚支持面が、少なくともリールの脚部裏面が当接する箇所において互いに面一になっていると、釣竿と共にリールの脚部を強く把持したときにおけるリールの脚部の撓みを抑制することができる。
【００１１】
また、可動フード体の脚支持面は、可動フード部の先端部よりも奥側即ち軸線方向一方側に設けられ、脚載置面の軸線方向の端部は可動フード部の先端部よりも奥側に入り込むことができるように構成されている。可動フード体の脚支持面が可動フード部の先端部よりも奥側に位置しているので、脚支持面が可動フード部の先端部よりも固定フード部側に突出している場合に比して、リールの脚部に可動フード部をスムーズに被せることができる。しかも、脚載置面の軸線方向の端部が可動フード体の内側に入り込むことができるので、脚載置面の軸線方向の端部を脚支持面に接近させることができ、両者が軸線方向に大きく離れることなくリールの脚部裏面を支えることができる。また、可動フード体の脚支持面が可動フード部の先端部より奥側に位置していても、脚載置面の軸線方向の端部が可動フード体の内側に入り込んだ状態となってリールの脚部裏面を支持しているので、そのリールの脚部の裏側に可動フード体の脚支持面がスムーズに入り込むことができる。
【００１２】
更に、シート本体は大径部と小径部とを備え、大径部の周方向のうち脚載置面が形成された箇所に小径部側に突出する突出部が形成され、該突出部に脚載置面の軸線方向の端部が位置すると共に突出部と小径部との間には段差部が設けられ、突出部が可動フード体の内側に入り込むことにより、脚載置面の軸線方向の端部が可動フード部の先端部よりも奥側に位置することが好ましい。このように突出部を設けることにより、可動フード体の内側に脚載置面の軸線方向の端部を容易に入り込ませることができる。
【００１３】
また、脚載置面の軸線方向の端部と可動フード体の脚支持面は、幅方向の全体に亘って面一であることが好ましい。リールの脚部が幅方向に位置ずれしても、可動フード体の脚支持面をスムーズにリールの脚部の裏側に進入させることができる。
【００１４】
また、可動フード体は、リールの脚部の脚先部が差し込み可能な袋部を構成すべく、可動フード部の内面を幅方向に連結する底部を備え、該底部の外面即ち径方向外側の面が脚支持面となっていることが好ましい。このように可動フード体に底部を形成すると、その底部によって可動フード体がより一層強固なものとなって可動フード部の弾性変形も更に抑制されるため、可動フード部がリールの脚部表面に乗り上がり過ぎるということがなく、従って、リールの脚部をより一層しっかりと固定することができる。
【００１５】
また、本発明に係る釣竿は、上記の筒状リールシートを装着したものである。
【発明の効果】
【００１６】
以上のように、シート本体の脚載置面が可動フード部の近傍まで形成され、その脚載置面の可動フード部側の端部と可動フード体の脚支持面が、少なくともリールの脚部裏面が当接する箇所において互いに面一になっているので、リールの脚部を確実に固定することができ、リールの脚部の固定操作をスムーズに行うことができる。また、リールの脚部の撓み量も抑制することができる。
【図面の簡単な説明】
【００１７】
【図１】本発明の一実施形態における筒状リールシートが装着された釣竿の要部を示す正面図。
【図２】同実施形態の筒状リールシートの要部縦断面図。
【図３】同実施形態の筒状リールシートにおけるシート本体を示す平面図。
【図４】同実施形態の筒状リールシートにおけるシート本体を示す底面図。
【図５】同実施形態の筒状リールシートにおけるシート本体を示す正面図。
【図６】同実施形態の筒状リールシートにおける可動フード体を示す斜視図。
【図７】同実施形態の筒状リールシートにおける可動フード体とシート本体との関係を示す図であって、可動フード体については縦断面図で示し、シート本体については要部正面図で示している。
【図８】図７のＡ−Ａ線切断部端面図。
【図９】図２の状態から可動フード体を図中右側に移動させた状態を示す要部縦断面図。
【図１０】本発明の他の実施形態における筒状リールシートのシート本体を示す平面図。
【図１１】本発明の他の実施形態における筒状リールシートのシート本体を示す正面図。
【発明を実施するための形態】
【００１８】
以下、本発明の一実施形態に係る筒状リールとそれを装着した釣竿について図１〜図９を参酌しつつ説明する。図１には、釣竿の竿尻側の所定部分を示しており、竿本体１と、該竿本体１に装着された筒状リールシート２と、竿本体１の竿尻部に装着されたリアグリップ３とを備えている。この釣竿は、スピニングリールを装着して使用する形式のものであり、従って、筒状リールシート２もスピニングリールを装着する形式のものである。尚、図１においては筒状リールシート２を紙面の上側に向けて図示しているが、リールを装着した通常使用状態では図示した状態とは上下逆となって筒状リールシート２が下側を向く。その他の図面においても、説明の便宜上、筒状リールシート２を上側を向けて図示している。
【００１９】
図１における筒状リールシート２は、リールの脚部４が載置される脚載置面２０を有する筒状のシート本体１０と、該シート本体１０の竿先側に外嵌装着されたフロントグリップ１１と、シート本体１０の竿尻側に位置する可動フード体１２と、該可動フード体１２の竿尻側に位置するナット１３とを備えていて、軸線方向一方側の可動フード部４３と軸線方向他方側の固定フード部１４とでリールの脚部を軸線方向に狭持して固定する。以下、詳細に説明する。
【００２０】
シート本体１０は、図２〜図５のように、大径部２１と、該大径部２１の竿先側に形成された筒部２２と、大径部２１の竿尻側に形成された小径部２３とを備えている。筒部２２には前記フロントグリップ１１が装着され、フロントグリップ１１の外面は大径部２１の外面と近い太さで竿先側に延びる。大径部２１の周方向の一箇所には平面が形成され、該平面が前記脚載置面２０となっている。尚、脚載置面２０の略中央には凹部２４が形成され該凹部２４にネームプレート等の板部材２５がはまり込むようにして貼着されている。但し、図２及び図９においては凹部２４、板状部２５の図示は省略されている。
【００２１】
該脚載置面２０の竿先側には、固定フード部１４が移動不能に設けられている。固定フード部１４はシート本体１０に一体的に形成され、該固定フード部１４にはリールの脚部４の竿先側の脚先部５（一方の脚先部）が挿入される。また、大径部２１には、その周方向のうち脚載置面２０が形成された箇所において小径部２３側、即ち竿尻側に向けて突出する突出部２６が形成されている。該突出部２６は図３のように平面視において矩形であって、これにより脚載置面２０は小径部２３側に所定長さ延長されている。即ち、突出部２６に脚載置面２０の竿尻側の端部２０ａが位置している。脚載置面２０の軸線方向の長さは、リールの脚部４の長さよりも短く、従って、図２や図３のようにリールの脚部４の竿尻側の脚先部６（他方の脚先部）は脚載置面２０の竿尻側の端部２０ａよりも竿尻側に突出することになる。
【００２２】
また、大径部２１と小径部２３との間の境界部は、軸線方向に対して直交しておらず、軸線方向に対して斜め方向になっている。即ち、境界部は、周方向のうち脚載置面２０側が最も竿尻側（小径部２３側）にあり、脚載置面２０を起点としてそこから周方向に離れる程に徐々に竿先側に向い、脚載置面２０とは１８０度反対側の箇所においても最も竿先側にある。尚、可動フード体１２の竿先側の端面１２ａも境界部に沿って形成されている。そして、境界部には、大径部２１よりも小径で小径部２３よりも大径とされたフード支持部２８が形成されている。該フード支持部２８は、突出部２６と後述する一対のガイド溝３１とを除いて周方向に連続して形成されている。該フード支持部２８は、可動フード体１２の竿先側開口縁部の内面よりも僅かに小径に形成されている。可動フード体１２が図２のように最も竿先側に位置したときに、フード支持部２８は可動フード体１２の竿先側開口縁部によって覆われ、仮に可動フード体１２がシート本体１０に対して相対的に傾こうとした場合には、フード支持部２８が可動フード体１２の竿先側開口縁部の内面を支持してその傾きを阻止する。また、図３及び図５に示しているように、フード支持部２８の軸線方向の長さは、突出部２６の軸線方向の突出長さよりも短く例えば略半分程度である。
【００２３】
小径部２３は、大別すると二つの領域に区画される。即ち、小径部２３は、大径部２１に近い直管部２３ａと、大径部２１から遠い雄ねじ部２３ｂとに区画される。直管部２３ａの外形は雄ねじ部２３ｂのねじ山と略同一径である。また、小径部２３の周方向の一箇所にはその全長に亘って平面部２９が形成されている。該平面部２９は、脚載置面２０と同一線上にあって、その箇所が他の箇所に比して肉厚が薄くなっている。この平面部２９は直管部２３ａのみならず雄ねじ部２３ｂにも連続して形成されており、従って、雄ねじ部２３ｂは平面部２９において部分的にねじ山が消失している。また、図２及び図５に示すように、平面部２９と突出部２６との間には段差部３０が形成されており、段差部３０によって平面部２９は脚載置面２０よりも一段低くなっている。尚、図３に示すように平面部２９の幅は突出部２６の幅や脚載置面２０の幅よりも狭い。また、小径部２３にはその全長に亘ってガイド溝３１が１８０度対向して一対形成されている。該ガイド溝３１は、可動フード体１２が軸線方向に移動する際の案内となるものである。
【００２４】
可動フード体１２は、図６〜図８に示すように、全体として筒状であってシート本体１０にその竿尻側から装着され、その外周面はシート本体１０の大径部２１の外周面と連続性を持っている。上述したように、可動フード体１２の竿先側の端面１２ａは斜めになっていてシート本体１０の境界部に沿って形成されている。竿尻側の端部外周面には環状突起４１が形成されていて、該環状突起４１にナット１３が係合して、これによって可動フード体１２はナット１３によって竿先側に押され、あるいは、竿尻側に引かれて、ナット１３と共に軸線方向に移動できる。その移動の際の周方向の回転を防止するために、シート本体１０のガイド溝３１に係合する係合突条４２が、内面に一対形成されている。そして、可動フード体１２は、その周方向の一箇所に可動フード部４３を備えている。また、可動フード部４３の径方向内側には、可動フード部４３の内面を水平方向に連結する底部４４が形成されており、該底部４４と可動フード部４３により、リールの脚部４の脚先部６を差し込み可能な袋部が形成されている。該底部４４の外面は、リールの脚部裏面４ｂを支持可能な脚支持面４５となっており、底部４４の厚さは、上述した段差部３０の高さよりも若干薄い。従って、底部４４は、図２及び図９のように、シート本体１０の小径部２３における平面部２９の外側を僅かな隙間をあけつつ移動する。底部４４は、可動フード部４３の先端部４３ａよりも奥側、即ち竿尻側に奥まって位置している。そして、底部４４の先端部の両側部には、竿先側に向けて徐々に径方向内側に傾斜する第１傾斜面４６と、該第１傾斜面４６に連設されて係合突条４２まで延びていて第１傾斜面４６よりも急な角度で傾斜する第２傾斜面４７とがそれぞれ形成されている。図７のように、底部４４の外面である脚支持面４５は、シート本体１０の脚載置面２０と面一であり、第１傾斜面４６はシート本体１０において突出部２６からフード支持部２８まで延びるサイド傾斜面３２に沿った傾斜となっていて、第２傾斜面４７はシート本体１０のフード支持部２８に沿った傾斜となっている。可動フード体１２が最も竿先側に接近した最接近時において、第１傾斜面４６はサイド傾斜面３２に当接可能であり、第２傾斜面４７はフード支持部２８の端面２８ａに当接可能である。尚、図５のように、最接近時において、可動フード体１２の竿先側の端面１２ａはシート本体１０の大径部２１の竿尻側の端面２１ａに当接せず、両者の間には僅かに隙間が形成される。但し、可動フード体１２の竿先側の端面１２ａがシート本体１０の大径部２１の竿尻側の端面２１ａに当接するようにしてもよい。
【００２５】
かかる可動フード体１２を固定フード部１４側に押してその位置に保持するための手段であるナット１３は、筒状であってその内周面に雌ネジ部（図示省略）が形成され、シート本体１０の雄ねじ部２３ｂに螺合して回転しながら軸線方向に移動する。
【００２６】
以上のように構成された筒状リールシート２には、まずリールの脚部４の竿先側の脚先部５を固定フード部１４の内側に差し込み、脚載置面２０にリールの脚部４を載置した状態で、ナット１３を回転させて可動フード体１２を竿先側に移動させる。可動フード体１２が竿先側に移動してくると、図９のように可動フード部４３の内側にリールの脚部４の竿尻側の脚先部６が相対的に進入してくる。その状態において、可動フード体１２の底部４４は未だリールの脚部４の竿尻側の脚先部６には到達していない。従って、リールの脚部４の竿尻側の脚先部６は、可動フード部４３が被せられることによってその位置、特に幅方向の位置が大まかに決められることになる。その後更に可動フード体１２を固定フード部１４に向けて接近させていくと、やがて竿尻側の脚先部６の裏側（内側）に可動フード体１２の底部４４が潜り込むように進入する。その際、リールの脚部裏面４ｂが脚載置面２０の竿尻側の端部２０ａによって支持されてその高さ（径方向の位置）が決められており、しかも、脚載置面２０の竿尻側の端部２０ａと脚支持面４５とが面一であるので、可動フード体１２の底部４４はスムーズに竿尻側の脚先部６の裏側に進入することができる。そして、可動フード部４３の内面が脚部表面４ａに当接してこれを押さえる。それと共に、可動フード部４３の内面が脚部表面４ａに沿って乗り上がっていこうとするが、底部４４が存在しているので、過度の乗り上がりが防止される。また、可動フード体１２の竿先側が図２の上側に向けて傾こうとしても、底部４４の存在によってその傾動が阻止されると同時に、フード支持部２８のうち特に脚載置面２０とは反対側の箇所によってもその傾動が阻止される。
【００２７】
このようにしてリールの脚部４は固定フード部１４と可動フード部４３によって軸線方向に狭持されて固定されるのであるが、可動フード体１２が袋状であるので、リールの脚部４をしっかりと固定することができ、締め付け力の調節も容易にできる。また、脚載置面２０の竿尻側の端部２０ａと脚支持面４５とが面一になっているので、釣竿と共にリールの脚部４を強く把持してもリールの脚部４が竿中心に向けて大きく撓むということがなく、釣竿から伝わる振動が吸収緩和されることなく、より一層ダイレクトに手に伝達されることになる。また、底部４４が奥側に位置していて可動フード部４３が先に脚部４に被さる構成であっても、可動フード部４３の内側に脚載置面２０の竿尻側の端部２０ａが入り込む構成であるので、底部４４が確実に脚部４の裏側に進入できる。また、可動フード部４３の先端部４３ａと脚載置面２０によっても脚部４が固定されることになり、より一層しっかりと固定することができる。尚、図２においては可動フード部４３の先端部４３ａと脚部表面４ａとの間に隙間が形成されているように図示されているが、脚部表面４ａの幅方向中央部においてはこのように隙間が形成されている場合でも脚部表面４ａの幅方向両側部においては隙間が形成されずに可動フード部４３の先端部４３ａによって径方向外側から押さえられる。尚、リールの脚部裏面４ｂは横断面視において幅方向中央が表側に凹んだ湾曲形状になっていることも多く、その場合、リールの脚部裏面４ｂはその幅方向両側部においてのみ脚載置面２０に当接することになる。
【００２８】
尚、本実施形態では、脚載置面２０の竿尻側の端部２０ａと脚支持面４５とを幅方向の全体に亘って面一としているが、少なくともリールの脚部裏面４ｂが当接する箇所において面一とされていればよい。但し、脚載置面２０の竿尻側の端部２０ａと脚支持面４５とを幅方向（周方向）の全体に亘って面一とすれば、リールの脚部裏面４ｂの幅サイズや幅方向の位置ずれに対する許容度が高まる。
【００２９】
また、図１０のように、脚載置面２０に軸線方向の溝５０を設けるなどしてもよい。その場合には水等を効果的に外に流し出せることになる。
【００３０】
更に、図１１のように大径部２１と小径部２３との間の境界部を斜めに形成するのではなく、軸線方向と直交する方向に沿って形成してもよい。その場合、可動フード体１２の竿先側の端面１２ａもそれに合わせて軸線方向と直交する面とすることが好ましく、それによって外周面同士の連続性が確保される。
【００３１】
また、フード支持部２８を突出部２６と両ガイド溝３１を除く略全領域に形成したが、周方向に不連続に形成したり、周方向の一部にのみ形成したりしてもよい。フード支持部２８を周方向の一部のみに形成する場合には、脚載置面２０とは反対側の箇所に形成することが好ましい。
【００３２】
更に、突出部２６を形成して脚載置面２０の竿尻側の端部２０ａを可動フード体１２の内側に入り込むようにしたが、突出部２６を形成しなくてもよい。また、突出部２６を形成する場合でも、上述したように矩形とするのではなく、例えば幅方向の両側部分のみが小径部２３側に突出する形状としても構わない。
【００３３】
尚、固定フード部１４を竿先側に配置し、可動フード体１２やナット１３を竿尻側に配置したが、逆に配置してもよい。
【００３４】
また、脚載置面２０や脚支持面４５を平面としたが、幅方向に沿って湾曲する曲面としてもよい。
【００３５】
更に、固定フード部１４をシート本体１０に一体的に形成したが、固定フード部１４をシート本体１０とは別体に形成して、それをシート本体１０にネジ等で移動不能に取り付けてもよい。
【００３６】
また、ナット１３を可動フード体１２に連結させたが、連結させなくてもよい。ナット１３を可動フード体１２に連結しない場合であってもナット１３で可動フード体１２を固定フード部１４側に向けて押していくことができる。但し、リールを取り外す場合には、ナット１３を緩めても可動フード体１２が一緒に後退しないので、別途可動フード体１２を固定フード部１４から離す方向に移動させる必要がある。また、可動フード体１２を固定フード部１４側に押してその位置に保持する手段であれば、ナット１３以外の構成でもよい。
【００３７】
更に、スピニングリールを取り付けるスピニングリール用の筒状リールシート２について説明したが、いわゆるベイトリールとも称される両軸リールを取り付ける両軸リール用の筒状リールシート２にも適用可能である。
【００３８】
尚、上記構成では、脚載置面２０を固定フード部１４の内側の位置から可動フード部４３の近傍まで形成しているが、リールの脚部４の撓みをそれほど気にしない、あるいは、リールの脚部４の強度が十分であるような場合には、脚載置面２０を、例えば、固定フード部１４の内側と可動フード部４３の近傍の二箇所に互いに軸線方向に離れて形成してもよい。その場合、可動フード部４３の近傍における脚載置面２０を可動フード体１２の脚支持面４５と面一にする。特に、可動フード部４３の近傍における脚載置面２０の少なくとも一部を可動フード部４３の内側に入り込ませるように構成すれば尚良い。
【符号の説明】
【００３９】
１    竿本体
２    筒状リールシート
３    リアグリップ
４    脚部
４ａ    表面
４ｂ    裏面
５    脚先部（一方の脚先部）
６    脚先部（他方の脚先部）
１０    シート本体
１１    フロントグリップ
１２    可動フード体
１２ａ  竿先側の端面
１３    ナット
１４    固定フード部
２０    脚載置面
２０ａ  竿尻側の端部（軸線方向の端部）
２１    大径部
２１ａ  竿尻側の端面
２２    筒部
２３    小径部
２３ａ  直管部
２３ｂ  雄ねじ部
２４    凹部
２５    板部材
２６    突出部
２８    フード支持部
２８ａ  端面
２９    平面部
３０    段差部
３１    ガイド溝
３２    サイド傾斜面
４１    環状突起
４２    係合突条
４３    可動フード部
４３ａ  先端部
４４    底部
４５    脚支持面
４６    第１傾斜面
４７    第２傾斜面
５０    溝
【図１】
0005773622.tif 000002
【図２】
0005773622.tif 000003
【図３】
0005773622.tif 000004
【図４】
0005773622.tif 000005
【図５】
0005773622.tif 000006
【図６】
0005773622.tif 000007
【図７】
0005773622.tif 000008
【図８】
0005773622.tif 000009
【図９】
0005773622.tif 000010
【図１０】
0005773622.tif 000011
【図１１】
0005773622.tif 000012